(57)【要約】  【課題】  生体に有益な波動情報水を衛生的にかつ効率よく簡単に生成すること。  【解決手段】  波動情報水生成装置１の筐体２上に被処理水を収容した容器Ｃを載せ置く載置部２ｂを設ける。載置部２ｂ上の容器Ｃの被処理水を磁化するための水平方向の回転磁界を発生する電磁石８を筐体２内に設ける。載置部２ｂの真下には帯電板９を設け、負極性に帯電して被処理水中の正極性の水素原子を引き寄せ、被処理水を分子状態で固定し安定させ、磁界を効率的に作用させる。メモリカード６には、電磁石８によって発生する回転磁界の回転速度及び回転数を決定する指令情報を記録装置１４により記録し、この情報に従って電磁石８に所定の回転磁界を発生させる。指令情報は生体の特定の有益な効能に対応し、記録装置が予め複数記憶しており、必要に応じてメモリカード６の情報を変更できる。【選択図】    図１
2006314899.tif 000002
【特許請求の範囲】
【請求項１】
交流磁界を発生する電磁石と、この電磁石により発生する交流磁界中に被処理水を収容した容器を載せ置くための載置台とを具備し、波動情報を記録した波動情報水を生成する波動情報水生成装置において、
前記電磁石は、波動情報に対応する回転速度及び回転数を調整可能な水平方向に回転する回転磁界を形成し、
前記載置台の下には、容器中の被処理水の正電荷を下方に引き寄せる帯電部材を備えていることを特徴とする波動情報水生成装置。
【請求項２】
特定の前記波動情報に対応する回転磁界の回転速度及び回転数を含む指令情報を記憶した記録媒体を備え、記録媒体の指令情報に従って前記電磁石が回転磁界を発生することを特徴とする請求項１に記載の波動情報水生成装置。
【請求項３】
生体固有の効能に対応した指令情報を前記記録媒体に記録することを特徴とする請求項２に記載の波動情報水生成装置用情報記録装置。
【請求項４】
複数の前記指令情報を予め記憶する記憶部と、前記指令情報を識別する文字列コードを入力可能な入力部と、この入力部による文字列コードの入力を受けて対応する特定の指令情報を前記記憶部から読み出して記録媒体に記録する出力部とを具備することを特徴とする請求項３に記載の波動情報水生成装置用情報記録装置。
【発明の詳細な説明】
【技術分野】
【０００１】
本発明は、生体に有益な効能をもたらす波動情報を転写した波動情報水を生成する波動情報水生成装置及びそのための情報記録装置に関するものである。
【背景技術】
【０００２】
水道水に磁場を作用させると活性化される現象が知られている。これは水道水中に形成されているクラスターという水分子集団が磁場のエネルギーにより細かく分解されて、運動エネルギーが高まるためである。このように活性化された水は、浸透圧が高まり、保水力が向上したり、飲みやすくなる等の効果が得られる。また近年、波動の原子レベルから細胞レベルへの共振によって伝わる共鳴磁化水や、電磁波動を生体の細胞に共振共鳴させて波動を伝えることにより生体に好影響を与える波動情報水が知られている。即ち、波動情報水は飲用、浴用に供することにより人体の疾病部位に対する自己治癒力を喚起したり、あるいは植物の成長を促進し、鮮度保持力の向上などの生体を活性化する等有益な効能をもたらす。従来、生体固有の有益な効能をもたらす波動を転写させた波動情報水を生成する電磁波動発生装置が特許文献１に記載されている。この電磁波動発生装置は、周波数発生ユニットで被処理水中にコイルを沈めて所望周波数の電磁波を発生させ、用途に応じた波動情報水を製造するものである。
【特許文献１】特開平７−１６３９７６号公報
【発明の開示】
【発明が解決しようとする課題】
【０００３】
上記従来の波動情報水を製造する電磁波動発生装置においては、被処理水中に直接接触する部分があるので衛生上の管理が必要である難点がある。またコイルの長手方向に振動する直線的な波動が生じるのみで、被処理水に波動情報を転写する効率が悪く、しかも水の分子状態が安定していないので、波動情報が定着しにくい。さらに、生体に対して個別的に具体的な効能を与える交流磁界の周波数の調整を使用者の経験に頼らざるをえないので、波動を与えて所望の波動情報水を生成するのに時間を要し、所期の効果を得るに至るまでが容易でない。
そこで、本発明は、比較的簡易な構成により、波動により生体に有益な効能を与える波動情報水を衛生的にかつ効率よく生成でき、また熟練を要することなく、誰でも短時間で効能に合った波動情報水を容易に生成できる波動情報水生成装置及びその情報記録装置を提供することを課題としている。
【課題を解決するための手段】
【０００４】
上記課題を解決するため、第１の発明においては、載置台２ｂ上に電磁石８により交流磁界を形成し、その磁界中に被処理水を収容した容器Ｃを載せ置いて、波動情報を記録した波動情報水を生成する波動情報水生成装置１において、電磁石８により水平面方向に回転する回転磁界を形成し、この磁界の回転速度及び回転数を調整できるように構成し、載置台２ｂの下には、容器Ｃ中の被処理水の正電荷を下方に引き寄せる帯電部材９を設けた。
第２の発明においては、回転磁界の回転速度及び回転数を含む指令情報を記憶したメモリカードのような記録媒体６を設け、この記録媒体６の情報に従って電磁石８が所定の回転磁界を発生するように構成した。
第３の発明においては、波動情報水生成装置１の記録媒体６に生体固有の効能に対応した指令情報を記録するための情報記録装置１４を構成した。
第４の発明においては、記憶部に複数の指令情報を予め記憶しておき、入力部により指令情報を識別する文字列コードを入力して対応する特定の指令情報を出力部が記憶部から記録媒体６に記録するように情報記録装置１４を構成した。
【発明の効果】
【０００５】
本発明においては、比較的簡易に構成できるし、水素分子を引き寄せて水分子を安定させた上で、所定の回転数及び回転速度の回転磁界により波動情報を転写するので、生体に有益な効能をもたらす波動情報水を効率よく生成でき、しかも被処理水との接触が一切なく衛生的で取り扱いが容易である。また、記録媒体に記録された指令情報により予め効能に応じた所定の回転磁界を形成することができるので、使用者による特別な調整を必要とせず、個別的に具体的な効能を得ることができる波動情報水を誰でも短時間で容易に生成でき、さらに必要に応じて新たな効能を簡単に追加したり、変更することができる。
【発明を実施するための最良の形態】
【０００６】
図面を参照して本発明の実施の一形態を説明する。
図１において、波動情報水生成装置１は、略直方形状の筐体２を備えている。筐体２上の前部には操作部２ａが、後部には載置部２ｂを有する。載置部２ｂには被処理水を収容した容器Ｃを載せ置くことができる。
【０００７】
筐体２の操作部２ａには、電源スイッチ３と、スタートボタン４と、作動表示灯５と、メモリカード６を挿入接続するコネクタ７とを備えている。
【０００８】
筐体２の内部には、載置部２ｂの直下に回転速度を変更可能な回転磁界を発生する電磁石８が設けられている。この電磁石８は、内部に鉄心材を有する三個のコイル８ａが水平方向同一円周上に等間隔に配置されている。各コイル８ａは、図３に示すような等間隔の位相差をもつ所定周期のパルス波電流を順次流して、上方に水平方向に回転する回転磁界を発生し、載置部２ｂ上の被処理水に波動情報を転写することができる。
【０００９】
筐体２内における電磁石８の真上には、帯電部材である円板状の帯電板９が設けられている。帯電板９は、負極性に帯電して載置部２ｂ上における被処理水中の正極性の水素原子を引き寄せ、被処理水を分子状態で固定し安定させる。これにより、磁界を効率的に作用させることができる。
【００１０】
メモリカード６は、ＥＥＰＲＯＭで構成され、電磁石８によって発生する回転磁界の回転速度及び回転数に関する指令情報を記録しており、この情報に従って電磁石８に所定の回転磁界を発生させる。この回転磁界の回転速度及び回転数は生体の特定の有益な効能に対応している。
【００１１】
波動情報水生成装置１に内蔵する回路１０には、図２に示すように、ＣＰＵ１１と、コネクタ７に接続されたメモリカード６と、コイル８ａを有する電磁石８と、コイル８ａに流すパルス波電流を形成するドライバ回路１２と、帯電板９及びこれにかかる電圧を上げる昇圧回路１３とを備えている。ＣＰＵ１１は、メモリカード６に記録された指令情報を読み取り、この情報に基づいてコイル８ａに流す所定のパルス波電流を形成するようにドライバ回路１２を制御すると共に、昇圧器１３を介して帯電板９にかかる電圧を所定の電圧値に昇圧するように制御する。
【００１２】
図４に示すように、記録装置１４は、生体固有の波動情報に応じて形成する回転磁界の回転速度及び回転数に関する指令情報をメモリカード６に記録するものである。記録装置１４は略直方形状の筐体１５を備えており、上面に電源スイッチ１６と、情報書込みボタン１７と、メモリカード６を接続するコネクタ１８と、動作表示用のＬＥＤ１９，２０と、入力部である複数の入力キー２１とを備えている。この記録装置１４は、図示しない記憶部を内蔵し、予め複数の波動に関する情報を項目分けして記録している。即ち、生体に有益な効能によって回転磁界の回転速度及び回転数が異なるので、効能ごとに対応する１６進法による数値コードで分類し、入力キー２１で数値コードを入力すれば、これに対応する指令情報が図示しない出力部によりコネクタ１８に接続されたメモリカード６に記録される。また、波動情報水生成装置１は波動情報の転写前に、被処理水のクラスターサイズを細分化して異なる性質を整理する準備信号を印加する。この準備動作を実行するために磁化の必要回数と指令から成る準備コードが数値コードと共に記録装置１３に入力されメモリカード６に書き出される。
【００１３】
この波動情報水生成装置１においては、電源スイッチ３で電源を投入し、メモリカード６をコネクタ７に差し込んで載置部２ｂ上の所定位置に被処理水を収容した容器Ｃを載せ置く。そして、スタートボタン４を押すと、メモリカード６の指令情報に従ってＣＰＵ１０により制御され、準備信号を印加した後、電磁石８のコイル８ａに所定周期のパルス波電流を所定の位相差で順次流し、載置部２ｂ上に水平方向の回転磁界を形成して、被処理水に波動情報を転写する。このとき、載置部２ｂ上の容器Ｃ内の被処理水は帯電板９により正極性の水素原子が引き寄せられるので、分子状態が固定して安定し、波動情報の転写が効率的に行われる。こうして生成された波動情報水は飲用、浴用に供することにより、生体に有益な効能をもたらす。
【００１４】
波動情報水の効能を変更するには、記録装置１４によりメモリカード６の情報を書き換える。記録装置１４においては、電源スイッチ１６で電源を投入し、メモリカード６をコネクタ１８に差し込んでから入力キー２１で準備コードと数値コードを入力し、記録ボタン１７を押せば、生体に対する特定の効能に応じた回転磁界の回転速度及び回転数に関する指令情報をメモリカード６に記録する。これにより情報が書き換えられたメモリカード６を波動情報水生成装置１に接続すれば、先と同様の動作により所望の波動情報水を生成することができる。
【００１５】
なお、本実施形態では被処理水として水道水等の通常の水を使用したが、牛乳やジュースなどの他の飲み物、さらに化粧水やシャンプーなどの身体に接触する液体に対しても波動情報を転写でき、有効な効能を得ることができる。
【産業上の利用可能性】
【００１６】
本発明は、生体固有の波動情報に基づく有益な効能のある波動情報水を必要な効能に応じて簡単に生成するのに有効である。
【図面の簡単な説明】
【００１７】
【図１】本発明に係る波動情報水生成装置の分解斜視図である。
【図２】波動情報水生成装置の回路構成視図である。
【図３】電磁石のコイルに流す電流の変化を示すグラフである。
【図４】情報記録装置の斜視図である。
【符号の説明】
【００１８】
１    波動情報水生成装置
２    筐体
２ｂ  載置部
６    メモリカード
７    コネクタ
８    電磁石
８ａ  コイル
９    帯電板
１１    ＣＰＵ
１４    記録装置
１８    コネクタ
２１    入力キー
Ｃ    容器
【図１】
2006314899.tif 000003
【図２】
2006314899.tif 000004
【図３】
2006314899.tif 000005
【図４】
2006314899.tif 000006